(57)【要約】【課題】アナログ回線のインピーダンス変化に起因して受話音声に発生するハウリングノイズを除去する。【解決手段】電流検出回路２０は、アナログ回線１０の直流ループ電流の有無を検出し、当該検出結果を示す電流検出信号ＩＤｅｔを出力する。ミュート回路２１は、電流検出信号ＩＤｅｔに基づいて、直流ループ電流が検出されている期間には、アナログ回線１０から受け取った受話音声をミュートせず、直流ループ電流が検出されていない期間には、アナログ回線１０から受け取った受話音声をミュートする。【選択図】  図１
2010263288.tif 000002
【特許請求の範囲】
【請求項１】
アナログ回線に接続して音声通話を行う電話装置で用いられる音声ノイズ除去回路であって、
前記アナログ回線の直流ループ電流の有無を検出し、当該検出結果を示す電流検出信号を出力する電流検出回路と、
前記電流検出信号に基づいて、前記直流ループ電流が検出されている期間には、前記アナログ回線から受け取った受話音声をミュートせず、前記直流ループ電流が検出されていない期間には、前記アナログ回線から受け取った受話音声をミュートするミュート回路と
を備えることを特徴とする音声ノイズ除去回路。
【請求項２】
請求項１に記載の音声ノイズ除去回路において、
前記電流検出回路は、前記直流ループ電流が流れ始めた際、前記電流検出信号の電流無しから電流有りへの変化タイミングを一定期間だけ遅延させることを特徴とする音声ノイズ除去回路。
【請求項３】
アナログ回線に接続して音声通話を行う電話装置で用いられる音声ノイズ除去方法であって、
前記アナログ回線の直流ループ電流の有無を検出し、当該検出結果を示す電流検出信号を出力する電流検出ステップと、
前記電流検出信号に基づいて、前記直流ループ電流が検出されている期間には、前記アナログ回線から受け取った受話音声をミュートせず、前記直流ループ電流が検出されていない期間には、前記アナログ回線から受け取った受話音声をミュートするミュートステップと
を備えることを特徴とする音声ノイズ除去方法。
【請求項４】
請求項３に記載の音声ノイズ除去において、
前記電流検出ステップは、前記直流ループ電流が流れ始めた際、前記電流検出信号の電流無しから電流有りへの変化タイミングを一定期間だけ遅延させることを特徴とする音声ノイズ除去方法。
【発明の詳細な説明】
【技術分野】
【０００１】
本発明は、電話通信技術に関し、特にアナログ回線の直流電圧変化に起因する音声ノイズを除去するための技術に関する。
【背景技術】
【０００２】
ＰＳＴＮ（Public Switched Telephone Networks：公衆電話交換回線網）やＰＢＸ（Private Branch eXchange：構内交換機）のアナログ回線を接続する電話装置では、アナログ回線を終端する回路構成として、アナログ回線の直流ループを閉塞するループ閉塞回路やトランスを介して２線−４線変換回路へアナログ回線を接続し、この２線−４線変換回路で、送話音声と受話音声とを分離する構成を有している。
このような構成では、ループ閉塞を行った後は、トランスさらには２線−４線回路に対してアナログ回線の直流電圧変動が入力されるため、この直流電圧変動に起因して受話音声に大きなノイズが発生する。
【０００３】
従来、このようなノイズを除去する技術として、アナログ回線での直流電圧変化の検出を契機として生成した期間信号に基づいて、２線−４線回路から得られた受話音声の遅延音声をミュートすることにより、アナログ回線での直流電圧変化に起因して受話音声に発生するパルスノイズを除去する技術が提案されている（例えば、特許文献１など参照）。
【先行技術文献】
【特許文献】
【０００４】
【特許文献１】特開２００１−３２０７４６号公報
【発明の概要】
【発明が解決しようとする課題】
【０００５】
しかしながら、このような従来技術では、アナログ回線での直流電圧変化に起因して受話音声に発生するパルスノイズを除去できるものの、アナログ回線のインピーダンス変化に起因して発生するハウリングノイズを除去することはできないという問題点があった。
【０００６】
ＰＳＴＮ側交換機やＰＢＸは、例えば通話相手が終話した際、それまで電話装置へ供給していた直流ループ電流の給電を停止し、その後、逆極性の直流ループ電流を電話装置へ給電する、いわゆる転極動作を行う。この際、直流ループ電流の給電停止期間では、アナログ回線のインピーダンスが保証されておらず、通常の通話状態における６００Ωなどのインピーダンスから大きく変化する。このため、２線−４線変換回路では、インピーダンス平衡がくずれて、受話音声に対する送話音声の回り込み量が増加し、ハウリングノイズが発生する原因となる。
【０００７】
本発明はこのような課題を解決するためのものであり、アナログ回線のインピーダンス変化に起因して受話音声に発生するハウリングノイズを除去できる音声ノイズ除去回路および方法を提供することを目的としている。
【課題を解決するための手段】
【０００８】
このような目的を達成するために、本発明にかかる音声ノイズ除去回路は、アナログ回線に接続して音声通話を行う電話装置で用いられる音声ノイズ除去回路であって、アナログ回線の直流ループ電流の有無を検出し、当該検出結果を示す電流検出信号を出力する電流検出回路と、電流検出信号に基づいて、直流ループ電流が検出されている期間には、アナログ回線から受け取った受話音声をミュートせず、直流ループ電流が検出されていない期間には、アナログ回線から受け取った受話音声をミュートするミュート回路とを備えている。
【０００９】
この際、電流検出回路で、直流ループ電流が流れ始めた際、電流検出信号の電流無しから電流有りへの変化タイミングを一定期間だけ遅延させるようにしてもよい。
【００１０】
また、本発明にかかる音声ノイズ除去方法は、アナログ回線に接続して音声通話を行う電話装置で用いられる音声ノイズ除去方法であって、アナログ回線の直流ループ電流の有無を検出し、当該検出結果を示す電流検出信号を出力する電流検出ステップと、電流検出信号に基づいて、直流ループ電流が検出されている期間には、アナログ回線から受け取った受話音声をミュートせず、直流ループ電流が検出されていない期間には、アナログ回線から受け取った受話音声をミュートするミュートステップとを備えている。
【００１１】
この際、電流検出ステップで、直流ループ電流が流れ始めた際、電流検出信号の電流無しから電流有りへの変化タイミングを一定期間だけ遅延させるようにしてもよい。
【発明の効果】
【００１２】
本発明によれば、ＰＳＴＮ交換機やＰＢＸの動作によるアナログ回線のインピーダンス変化に起因して、２線−４線変換回路においてインピーダンス平衡がくずれた場合でも、受話音声に対する送話音声の回り込みを阻止することができ、ハウリングノイズを除去することが可能となる。
【図面の簡単な説明】
【００１３】
【図１】本発明の第１の実施の形態にかかる電話装置の要部構成を示すブロック図である。
【図２】本発明の第１の実施の形態にかかるノイズ除去回路の要部を示す回路図である。
【図３】本発明の第１の実施の形態にかかる電話装置の動作を示すタイミングチャートである。
【図４】本発明の第２の実施の形態にかかるノイズ除去回路の要部を示す回路図である。
【図５】本発明の第２の実施の形態にかかる電話装置の動作を示すタイミングチャートである。
【発明を実施するための形態】
【００１４】
次に、本発明の実施の形態について図面を参照して説明する。
［第１の実施の形態］
まず、図１を参照して、本発明の第１の実施の形態にかかる電話装置について説明する。図１は、本発明の第１の実施の形態にかかる電話装置の要部構成を示すブロック図である。
【００１５】
この電話装置１００は、ＰＳＴＮやＰＢＸのアナログ回線１０と接続して音声通話を行う電話装置であり、アナログ回線１０と接続するインターフェース回路１として、整流回路１１、電流閉塞回路１２、容量素子１３、トランス１４、２線−４線変換回路１５、受話アンプ１６、送話アンプ１７、およびコーディック１８が設けられている。
本実施の形態では、上記インターフェース回路１において、ノイズ除去回路２として、電流検出回路２０、およびミュート回路２１を備えている。
【００１６】
整流回路１１は、ダイオードブリッジなどの整流回路からなり、アナログ回線１０に流れる直流ループ電流ＩＬを整流する機能を有している。
電流閉塞回路１２は、例えばトランジスタを用いた定電流回路からなり、アナログ回線１０の捕捉する際、整流回路１１の直流出力端子を音声信号に対して高インピーダンスで閉塞して直流ループ電流ＩＬを流す機能を有している。
容量素子１３は、トランス１４への直流ループ電流ＩＬを阻止し、音声信号を通過させる機能を有している。
【００１７】
トランス１４は、容量素子１３を介して整流回路１１の直流出力端子に接続されて、アナログ回線１０側と２線−４線変換回路１５との間のインピーダンス変換を行う機能を有している。なお、インピーダンス変換が不要な場合には、トランス１４を設けない構成もある。
２線−４線変換回路１５は、例えばブリッジ回路などからなり、アナログ回線１０から受け取った受話音声信号を受話アンプ１６へ出力し、送話アンプ１７からの送話音声信号をアナログ回線１０へ出力することにより、受話音声信号に対する送話音声信号の回り込みを抑制する機能を有している。
【００１８】
受話アンプ１６は、２線−４線変換回路１５からの受話音声信号を増幅してコーディック１８へ出力する機能を有している。
送話アンプ１７は、コーディック１８からの送話音声信号を増幅して２線−４線変換回路１５へ出力する機能を有している。
コーディック１８は、受話アンプ１６からの受話音声信号を受話音声データＤＲへ符号化して出力する機能と、入力された受話音声データＤＴを送話音声信号へ復号して送話アンプ１７へ出力する機能とを有している。
【００１９】
電流検出回路２０は、例えばフォトカプラからなり、整流回路１１の直流出力端子と電流閉塞回路１２との間に設けられて、直流ループ電流ＩＬの有無を検出し、その検出結果を示す電流検出信号ＩＤｅｔを出力する機能を有している。
ミュート回路２１は、例えばＭＯＳＦＥＴを用いたアナログスイッチなどからなり、２線−４線変換回路１５と受話アンプ１６との間に設けられて、電流検出回路２０から出力された電流検出信号ＩＤｅｔに基づいて、直流ループ電流ＩＬが検出されている期間には、アナログ回線１０から受け取った受話音声をミュートせず、直流ループ電流が検出されていない期間には、アナログ回線から受け取った受話音声をミュートする機能を有している。
【００２０】
図２は、ノイズ除去回路の要部を示す回路図であり、ここでは電流検出回路２０としてフォトカプラＰＣ１が用いられている。このフォトカプラＰＣ１の発光ダイオードは、整流回路１１の直流出力正極端子＋と電流閉塞回路１２の入力端子との間に直列接続されており、直流ループ電流ＩＬの有無に応じて発光動作する。また、フォトカプラＰＣ１の受光トランジスタは、コレクタ端子が電源電圧Ｖｃに接続されているとともに、エミッタ端子が抵抗素子Ｒを介して接地電位ＧＮＤに接続されており、エミッタ端子の電位が電流検出信号ＩＤｅｔとしてミュート回路２１へ出力される。
【００２１】
したがって、直流ループ電流ＩＬが電流閉塞回路１２を介して流れた場合、フォトカプラＰＣ１の発光ダイオードが発光して受光トランジスタがオンするため、電流検出信号ＩＤｅｔは電流有りを示す電源電位Ｖｃとなり、ミュート回路２１はミュートオフとなる。
一方、直流ループ電流ＩＬが停止した場合、フォトカプラＰＣ１の発光ダイオードが消光して受光トランジスタがオフするため、電流検出信号ＩＤｅｔは電流無しを示す接地電位ＧＮＤとなり、ミュート回路２１はミュートオンとなる。
【００２２】
［第１の実施の形態の動作］
次に、図３を参照して、本発明の第１の実施の形態にかかる電話装置の動作について説明する。図３は、本発明の第１の実施の形態にかかる電話装置の動作を示すタイミングチャートである。ここでは、電話装置１００がＰＳＴＮ交換機のアナログ回線１０を介して相手電話装置と音声通話を行っている状態から、相手電話装置が終話した場合の動作を例として説明する。
【００２３】
時刻Ｔ１以前において、電話装置１００は相手電話装置との間で音声通話状態にある。このため、アナログ回線１０には、ＰＳＴＮ交換機から負の直流電圧が供給されており、直流ループ電流ＩＬが電流閉塞回路１２を介して流れている。
電流検出回路２０は、この直流ループ電流ＩＬを検出し、電流検出信号ＩＤｅｔとして電流有り、すなわちミュートオフを示す電源電位Ｖｃとなる。このため、ミュート回路２１は、受話音声信号に対してミュートを行わず、２線−４線変換回路１５からの受話音声信号が受話アンプ１６へ入力されて、受話器から出力される。
【００２４】
一方、時刻Ｔ１において、相手電話装置で終話操作が行われた場合、ＰＳＴＮ交換機からアナログ回線１０への負の直流電圧の供給が一時的に停止されて回線電圧ＶＬがゼロとなり、直流ループ電流も停止する。
これに応じて電流検出回路２０は、この直流ループ電流ＩＬの停止を検出し、電流検出信号ＩＤｅｔとして電流無しを示す値を出力する。このため、ミュート回路２１は、受話音声信号に対してミュートを行うことになり、２線−４線変換回路１５からの受話音声信号が受話アンプ１６へ入力されなくなり、受話器から出力されない。
【００２５】
その後、時刻Ｔ２において、ＰＳＴＮ交換機の転極動作により、ＰＳＴＮ交換機から正の直流電圧がアナログ回線１０に供給され、直流ループ電流ＩＬが電流閉塞回路１２を介して流れる。
電流検出回路２０は、この直流ループ電流ＩＬを検出し、電流検出信号ＩＤｅｔとして電流有りを示す値を出力する。このため、ミュート回路２１は、受話音声信号に対してミュートを行わず、２線−４線変換回路１５からの受話音声信号が受話アンプ１６へ入力されて、受話器から出力される。
【００２６】
［第１の実施の形態の効果］
このように、本実施の形態によれば、ＰＳＴＮ交換機やＰＢＸの動作により、直流ループ電流が停止してアナログ回線１０のインピーダンスが不安定な状態となる期間には、電流検出信号ＩＤｅｔに基づいてミュート回路２１により受話音声信号がミュートされる。
このため、ＰＳＴＮ交換機やＰＢＸの動作によるアナログ回線のインピーダンス変化に起因して、２線−４線変換回路においてインピーダンス平衡がくずれた場合でも、受話音声に対する送話音声の回り込みを阻止することができ、ハウリングノイズを除去することが可能となる。
【００２７】
このような、転極、復極、直流ループ電流の切断などの回線状況の変化は、アナログ回線固有の問題であり、ＩＳＤＮ回線やＩＰ回線では発生しない。本発明によれば、このような回線状況の変化に応じて発生するハウリングノイズを除去することができることから、ＩＳＤＮ回線やＩＰ回線と同等にアナログ回線を制御することができる。このため、各種の回線と接続する電話装置の制御用ソフトウェアを開発する際、アナログ回線のみを特別に取り扱う必要がなくなり、ソフトウェアの開発負担を軽減でき、開発コストの低減に繋がる。
【００２８】
また、音声処理をディジタル処理するＩＰ系の電話装置では、アナログ回線やドアホン通話路などの２線式回線に対して、エコーキャンセラを使用する場合が多い。このようなエコーキャンセラでは、転極、復極、直流ループ電流の切断などの回線状況の変化に起因して、音声の戻り量が大きく変化したりノイズが混入した場合、エコーキャンセラの動作が不安定となったり、音声の戻り量を学習する自動学習機能が動作し始めたりするため、通話品質が低下する。本発明では、これら回線状況の変化に起因したハウリング発生を抑止できるため、エコーキャンセラを安定動作させることができ、上記のような通話品質の低下が発生することはない。
【００２９】
［第２の実施の形態］
次に、図４を参照して、本発明の第２の実施の形態にかかる電話装置について説明する。図４は、本発明の第２の実施の形態にかかるノイズ除去回路の要部を示す回路図である。
【００３０】
第１の実施の形態では、アナログ回線１０に対する直流電圧の供給が再開されて直流ループ電流が流れ始めた時点で、ミュート回路２１での受話音声信号に対するミュートを解除する場合について説明した。本実施の形態では、直流ループ電流が流れ始めた時点から一定時間経過後に、ミュート回路２１での受話音声信号に対するミュートを解除する場合について説明する。
第１の実施の形態と比較して、本実施の形態では、電流検出回路２０に、電流検出信号ＩＤｅｔの立ち上がりを一定時間遅延させるタイマー回路が追加されている。なお、その他の構成は、第１の実施の形態と同様であり、ここでの詳細な説明は省略する。
【００３１】
図４に示す電流検出回路２０では、容量素子Ｃの充放電を利用したタイマー回路が用いられている。
フォトカプラＰＣ２の発光ダイオードは、整流回路１１の直流出力正極端子＋と電流閉塞回路１２の入力端子との間に直列接続されており、直流ループ電流ＩＬの有無に応じて発光ダイオードが動作する。また、フォトカプラＰＣ２の受光トランジスタは、エミッタ端子が接地電位ＧＮＤに接続されており、そのコレクタ端子がＮＰＮ型のトランジスタＱのベース端子に接続されている。
【００３２】
トランジスタＱのベース端子は、抵抗素子Ｒ１を介して電源電圧Ｖｃへプルアップされているとともに、そのコレクタ端子は、抵抗素子Ｒ２を介して電源電圧Ｖｃへプルアップされており、トランジスタＱのエミッタ端子は接地電位ＧＮＤに接続されている。また、トランジスタＱのコレクタ端子−エミッタ端子間に容量素子Ｃが並列的に接続されており、トランジスタＱのコレクタ端子の電子、すなわち容量素子Ｃの電位が電流検出信号ＩＤｅｔとしてミュート回路２１へ出力される。
【００３３】
［第２の実施の形態の動作］
次に、図５を参照して、本発明の第２の実施の形態にかかる電話装置の動作について説明する。図５は、本発明の第２の実施の形態にかかる電話装置の動作を示すタイミングチャートである。ここでは、電話装置１００がＰＳＴＮ交換機のアナログ回線１０を介して相手電話装置と音声通話を行っている状態から、相手電話装置が終話した場合の動作を例として説明する。
【００３４】
時刻Ｔ１以前において、電話装置１００は相手電話装置との間で音声通話状態にある。このため、アナログ回線１０には、ＰＳＴＮ交換機から負の直流電圧が供給されており、直流ループ電流ＩＬが電流閉塞回路１２を介して流れている。
この際、電流検出回路２０では、直流ループ電流ＩＬに応じてフォトカプラＰＣ２の発光ダイオードが発光して受光トランジスタがオンしている。これにより、トランジスタＱがオフして、抵抗Ｒ２を介して容量素子Ｃが充電され、電流検出信号ＩＤｅｔは電流有りを示す電源電位Ｖｃを維持する。したがって、ミュート回路２１は、受話音声信号に対してミュートを行わず、２線−４線変換回路１５からの受話音声信号が受話アンプ１６へ入力されて、受話器から出力される。
【００３５】
一方、時刻Ｔ１において、相手電話装置で終話操作が行われた場合、ＰＳＴＮ交換機からアナログ回線１０への負の直流電圧の供給が一時的に停止されて回線電圧ＶＬがゼロとなり、直流ループ電流も停止する。
この際、電流検出回路２０では、フォトカプラＰＣ２の発光ダイオードが消光して受光トランジスタがオフする。これにより、トランジスタＱがオンして、容量素子Ｃが直ちに放電され、電流検出信号ＩＤｅｔは電流無しを示す接地電位ＧＮＤとなる。したがって、ミュート回路２１は、受話音声信号に対してミュートを行うことになり、２線−４線変換回路１５からの受話音声信号が受話アンプ１６へ入力されなくなり、受話器から出力されない。
【００３６】
その後、時刻Ｔ２において、ＰＳＴＮ交換機の転極動作により、ＰＳＴＮ交換機から正の直流電圧がアナログ回線１０に供給され、直流ループ電流ＩＬが電流閉塞回路１２を介して流れる。
電流検出回路２０では、フォトカプラＰＣ１の発光ダイオードが発光して受光トランジスタがオンして、トランジスタＱがオフし、抵抗Ｒ２を介して容量素子Ｃの充電が開始される。
【００３７】
この際、電流検出信号ＩＤｅｔは、抵抗素子Ｒ２と容量素子Ｃの時定数に基づいて徐々に電源電位Ｖｃまで上昇する。これにより、電流検出信号ＩＤｅｔが電流有りを示す電位まで上昇するのに遅れを生じ、この遅れにより直流ループ電流が流れ始めた時刻Ｔ２から一定時間経過後の時刻Ｔ３に、ミュート回路２１での受話音声信号に対するミュートが解除されることになる。
【００３８】
［第２の実施の形態の効果］
このように、本実施の形態によれば、直流ループ電流が流れ始めた時点から一定時間経過後に、ミュート回路２１での受話音声信号に対するミュートが解除される。このため、ＰＳＴＮ交換機やＰＢＸからのアナログ回線１０に対する直流電圧の供給開始時において、アナログ回線１０での回線電圧ＶＬが大きく変化した場合でも、その変化に応じて発生する回線ノイズを受話音声から除去することができる。
【００３９】
特に、相手電話装置での終話操作に応じて交換機から送出される切断信号に起因する回線ノイズは、大変耳障りなノイズであり、音響的な衝撃も発生する。本実施の形態によれば、このような回線ノイズを効果的に除去できる。
また、第１の実施の形態に対して容量素子Ｃの充放電を利用したタイマー回路を追加するだけでよく、受話音声の遅延回路などの高価な回路を必要とすることなく、極めて簡素な構成で回線ノイズを除去することが可能となる。
【００４０】
したがって、直流ループ電流が停止してアナログ回線１０のインピーダンスが不安定な状態となる期間に発生するハウリングの影響と、その後の直流ループ電流の再開時に発生する回線ノイズの影響の両方を抑止することができ、ＰＳＴＮ交換機やＰＢＸの動作に起因して受話音声に混入するノイズを効果的に除去することが可能となる。
【００４１】
［実施の形態の拡張］
以上で説明した各実施の形態では、受話音声をミュートする具体的構成として、２線−４線変換回路１５と受話アンプ１６との間にミュート回路２１を設ける場合を例として説明したが、これに限定されるものではない。例えば、受話アンプ１６とコーディック１８との間にミュート回路２１を設けてもよく、ミュート回路２１に代えて受話アンプ１６のミュート機能を利用してもよい。また、コーディック１８から出力される受話音声データＤＲをミュート回路でミュートしてもよい。この場合、このミュート回路では、受話音声をミュートする際、コーディック１８で用いる符号化則に応じた無音データを受話音声データＤＲとして出力すればよい。
【００４２】
また、各実施の形態では、ミュート回路２１により、受話音声のみをミュート制御する場合について説明したが、送話音声についてもミュート制御してもよい。例えば、送話アンプ１７の前段または後段にミュート回路２１を追加し、電流検出信号ＩＤｅｔに基づいて送話音声信号のミュート制御を行えばよい。これにより、アナログ回線１０のインピーダンスが不安定な状態となる期間について、送話音声の送出を停止することができ、受話音声に対する送話音声の回り込み量の増加を抑止することが可能となる。
【００４３】
また、各実施の形態では、電話装置１００がＰＳＴＮ交換機のアナログ回線１０を介して相手電話装置と音声通話を行っている状態から、相手電話装置が終話した場合の動作を例として説明したが、これに限定されるものではない。例えば、電話装置１００がＰＳＴＮ交換機のアナログ回線１０を介して相手電話装置を呼び出し、相手応答に応じて音声通話を開始する場合にも、ＰＳＴＮ交換機やＰＢＸの動作によるアナログ回線のインピーダンス変化が発生するため、このような場合にもハウリングノイズを除去することが可能となる。
【００４４】
また、第２の実施の形態における、電流検出回路２０のタイマー回路による電流検出信号ＩＤｅｔの立ち上がり遅延量については、当該アナログ回線１０の直流電圧供給開始時における回線ノイズの発生状況に応じて、経験的に決定すればよい。特に、音声通話開始時においてアナログ回線１０の直流ループ電流が一時的に停止する場合、遅延量が大きすぎると通話開始時の相手音声が途切れる可能性がある。例えば、通話開始に応じて音声ガイダンスを出力するようなサービスもある。このような場合には、遅延量を固定化せず可変とすることにより対応できる。遅延量を可変とする構成については、例えばＣＰＵからの制御により抵抗素子Ｒ２や容量素子Ｃの値を変更するなど、公知の技術を利用すればよい。
【００４５】
以上、実施形態を参照して本発明を説明したが、本発明は上記実施形態に限定されるものではない。本発明の構成や詳細には、本発明のスコープ内で当業者が理解しうる様々な変更をすることができる。
【符号の説明】
【００４６】
１００…電話装置、１…インターフェース回路、１０…アナログ回線、１１…整流回路、１２…電流閉塞回路、１３…容量素子、１４…トランス、１５…２線−４線変換回路、１６…受話アンプ、１７…送話アンプ、１８…コーディック、２…ノイズ除去回路、２０…電流検出回路、２１…ミュート回路、ＶＬ…回線電圧、ＩＬ…直流ループ電流、ＩＤｅｔ…電流検出信号。
【図１】
2010263288.tif 000003
【図２】
2010263288.tif 000004
【図３】
2010263288.tif 000005
【図４】
2010263288.tif 000006
【図５】
2010263288.tif 000007